(57)【要約】【課題】本発明は、表面の少なくとも一方に、表面の一般平面に対して浮き彫り状態にある幾何学的な複数のパターンを有する透明板に関する。【解決手段】一体の透明板（１）は、その表面（３）の少なくとも一方に、表面（３）の一般平面（π）に対して浮き彫り状態にある幾何学的な複数のパターン（５）によって凹凸が付けられた少なくとも１つの部分を含み、各パターンが、一般平面に対して平行な断面を有し、その断面が、パターンのベースから頂点に向けて、表面（３）からの距離を次第に減少させる。本発明によれば、一般平面（π）に対する領域の傾斜角（α8）が３０度よりも小さく、凹凸部の領域（８）の面積（Ｓ8）が凹凸部の全面積（Ｓi）の３５％よりも小さくなる。【選択図】図２
2015172777.tif 000002
【特許請求の範囲】
【請求項１】
一体構造の透明板（１；１０１；２０１）であって、
少なくともその一方の面（３；１０３；２０３）上に、前記面（３；１０３；２０３）の一般平面（π）に対して浮き彫り状態にある幾何学的な複数の形体（５；１０５；２０５）によって凹凸が付けられた少なくとも１つの部分を備え、
各形体は、前記一般平面（π）に平行な断面を有し、
前記断面が、前記形体のベースから頂点に向けて、前記面（３；１０３；２０３）からの距離に伴って徐々に減少していく、
一体構造の透明板において、
前記一般平面（π）に対する傾斜角（α8；α108；α208）が３０度よりも小さい凹凸部の領域（８；１０８；２０８）の面積（Ｓ8；Ｓ108；Ｓ208）が、前記凹凸部の全面積（Ｓ1；Ｓ101；Ｓ201）の３５％よりも小さく、
‐（ｉ）  前記板（１；１０１）の厚さ（ｅ1；ｅ101）に対する各形体（５；１０５）の厚さ（ｅ5；ｅ105）の割合ρが０．２以上の所定値を有し、かつ前記板（１；１０１）の厚さ（ｅ1；ｅ101）が４．５ｍｍから８ｍｍまでの範囲内にある、又は、
‐（ｉｉ）  前記板（２０１）の厚さ（ｅ201）が３ｍｍから８ｍｍまでの範囲内にある所定値であり、かつ前記板（２０１）の厚さ（ｅ201）に対する各形体（２０５）の厚さ（ｅ205）の割合ρが０．３以上である、
一体構造の透明板。
【請求項２】
前記形体の頂点を通る少なくとも１つの平面に沿うと共に前記一般平面（π）に垂直である断面において、各形体（５；１０５；２０５）が、前記一般平面（π）に対しゼロでない平均傾斜角（α7；α107；α207）でそれぞれ傾斜した２つの側部（７；１０７；２０７）によって境界付けられ、
前記一般平面（π）に対する前記領域の傾斜角（α8；α108；α208）が３０度よりも小さい凹凸部の領域（８；１０８；２０８）が、或る形体の一方の側部（７；１０７；２０７）と、その形体の他方の側部又は隣接する形体の側部との間の接続領域（８；１０８；２０８）を形成する、
請求項１に記載の板。
【請求項３】
前記一般平面（π）に対する１つの形体（５；１０５；２０５）の各側部（７；１０７；２０７）の前記平均傾斜角（α7；α107；α207）が、４０度と６５度との間、好ましくは４５度と６０度の間にある、
請求項２に記載の板。
【請求項４】
各形体（５；１０５；２０５）が、０．５ｍｍ以上の厚さ（ｅ5；ｅ105；ｅ205）を有する、
請求項１〜３のいずれか１項に記載の板。
【請求項５】
前記板（１；１０１；２０１）の厚さ（ｅ1；ｅ101；ｅ201）に対する各形体（５；１０５；２０５）の厚さ（ｅ5；ｅ105；ｅ205）の割合ρの所定値に対して、前記板（１；１０１；２０１）の厚さ（ｅ1；ｅ101；ｅ201）が、前記板の前記面（３；１０３；２０３）における、入射する放射の、前記板を通る最大透過率に対応する最適な値を有する、
請求項１〜４のいずれか１項に記載の板。
【請求項６】
前記形体（５；１０５；２０５）が互いに隣接し合う、
請求項１〜５のいずれか１項に記載の板。
【請求項７】
前記形体（５；１０５；２０５）はゼロでない頂点半角を有するピラミッド型又は円錐形である、
請求項１〜６のいずれか１項に記載の板。
【請求項８】
前記形体は溝又はリブである、
請求項１〜６のいずれか１項に記載の板。
【請求項９】
前記凹凸部は圧延によって得られる、
請求項１〜８のいずれか１項に記載の板。
【請求項１０】
前記凹凸部は成形によって得られる、
請求項１〜８のいずれか１項に記載の板。
【請求項１１】
請求項１〜１０のいずれか１項に記載の透明板（１；１０１；２０１）と、放射を収集又は放出できる要素（９；１０９；２０９）とを具備する組立体（１０；１１０；２１０）であって、
前記要素（９；１０９；２０９）が、前記板を通過する放射を収集できるように、又は前記板を介して放射を放出できるように、前記板（１；１０１；２０１）に対して位置決めされ、
前記板の凹凸面（３；１０３；２０３）が、前記要素（９；１０９；２０９）から離れるように方向付けられる、
組立体（１０；１１０；２１０）。
【請求項１２】
請求項１〜１０のいずれか１項に記載の透明板（１；１０１；２０１）を製造する方法であって、
透明材から作成される板の少なくとも１つの面（３；１０３；２０３）上に、前記面（３；１０３；２０３）の一般平面（π）に対し浮き彫り状態にある幾何学的な形体（５；１０５；２０５）を形成する一方で、浮き彫り状態にある各形体（５；１０５；２０５）の厚さ（ｅ5；ｅ105；ｅ205）を最大化する段階を含む、
製造する方法。
【請求項１３】
浮き彫り状態にある形体（５；１０５；２０５）が、前記板を圧延することにより形成される、
請求項１２に記載の製造する方法。
【請求項１４】
浮き彫り状態にある形体（５；１０５；２０５）が、前記板を成形することにより形成される、
請求項１２に記載の製造する方法。
【発明の詳細な説明】
【技術分野】
【０００１】
本発明は、その少なくとも一方の面上に、前記面の一般平面に対して浮き彫り状態にある複数の形体を有する透明板に関する。本発明はまた、そのような透明板と、放射を収集又は放出できる要素とを有する組立体に関する。さらに、本発明は、そのような透明板の製造方法に関する。
【背景技術】
【０００２】
放射を集めることができる要素は、特に、放射を起源とするエネルギを集め、例えば太陽電池などのように電気エネルギへと変換できる要素である。放射を放つことができる要素は、特に、例えばＯＬＥＤ（有機発光ダイオード）のように電気エネルギを放射光へと変換できる要素である。
【０００３】
従来から、太陽光電池モジュールやＯＬＥＤ装置は、前面基板（又は、ガラス機能を持つ基板）として、エネルギ変換要素、すなわち太陽電池やＯＬＥＤ構造体を機械的に保護する一方で、これらエネルギ変換要素に対して良好な放射の伝達を可能にするような透明板を有している。この透明板は、特に、透明なガラスから作られ、好ましくは、例えばサンゴバン社製ガラスとして市販されている“ディアマント（ＤＩＡＭＡＮＴ）”や“アルバリノ（ＡＬＢＡＲＩＮＯ）”ガラスのように、酸化鉄含有量が極めて低いクリアガラス又はエクストラ・クリアガラスから作られる場合がある。
【０００４】
太陽光電池モジュールやＯＬＥＤ装置のエネルギ変換効率を高めるための１つの方法としては、板に入射する放射であって、太陽光電池モジュールの場合には空中から生じるような放射であったり、ＯＬＥＤ装置の場合には装置内部から生じるような放射であるような、これら放射の反射を制限することによって、前面基板を成す板の透過特性を改善することがある。この目的のために、少なくともエネルギ変換要素から離れるように方向付けられた板の面に、この面の一般平面に対して、浮き彫り状態にある凹状又は凸状の形体を設けることにより凹凸を付けることが知られている。本発明の意味の範囲内で、凹凸が付いた面の一般平面は、形体の部分を形成しないこの面の地点を含む平面か、或いは隣接し合う形体同士の場合にはそれら形体間の接合部にある地点を含む平面となる。形体自体は、特にピラミッド型又は円錐形であってもよいし、例えば溝やリブなどの優先長手方向を有する形体であってもよい。しかしながら、エネルギ変換装置の前面基板として従来技術による凹凸付き板の使用による効率の増加は依然として制限されたままである。これが、特に圧延による従来の凹凸付け技術が、特許文献１、特許文献２、及び特許文献３で説明されたように、現時点では完全な幾何学形状を有する形体を形成させない理由である。
【先行技術文献】
【特許文献】
【０００５】
【特許文献１】国際公開第０３／０４６６１７号
【特許文献２】国際公開第２００５／１１１６７０号
【特許文献３】国際公開第２００７／０１５０１９号
【発明の概要】
【発明が解決しようとする課題】
【０００６】
板に入射する放射の透過特性を最適化する透明板であって、例えば太陽光電池モジュールやＯＬＥＤ装置のようなエネルギ変換装置に前面基板として一体化した場合、特に、装置のエネルギ変換要素に対して又はこの要素から入射する放射の透過を最適化でき、以て従来装置に比して本装置の効率を増加できる透明板を提供することが、本発明が特に模索する課題である。
【課題を解決するための手段】
【０００７】
この目的を達成するために、本発明の１つの対象は、
一体構造の透明板であって、
少なくともその一方の面上に、前記面の一般平面に対して浮き彫り状態にある幾何学的な複数の形体によって凹凸が付けられた少なくとも１つの部分を備え、
各形体は、前記一般平面に平行な断面を有し、
前記断面が、前記形体のベースから頂点に向けて、前記板の前記面からの距離に伴って徐々に減少していく、
一体構造の透明板において、
前記一般平面に対する傾斜角が３０度よりも小さい凹凸部の領域の面積が、前記凹凸部の全面積の３５％よりも小さく、
‐（ｉ）  前記板の厚さに対する各形体の厚さの割合ρが０．２以上の所定値を有し、かつ前記板の厚さが４．５ｍｍから８ｍｍまでの範囲内にある、又は、
‐（ｉｉ）  前記板の厚さが３ｍｍから８ｍｍまでの範囲内にある所定値であり、かつ前記板の厚さに対する各形体の厚さの割合ρが０．３以上である、
一体構造の透明板である。
【０００８】
本発明の意味の範囲内で、透明板は、少なくとも、その板が前面基板として一体化される目的の装置のエネルギ変換要素として利用される波長域又は同要素によって放出される波長域において透明となる板を指している。一例として、多結晶シリコンに基づく太陽電池からなる太陽光電池モジュールの場合、その板は４００ｎｍ〜１２００ｎｍの波長域において透明であることが好ましい。更に発明の枠組みの中で、板は、形体と板が単一の物体を形成するという意味では一体構造であり、形体は、例えば板の成形の際に、又は板を圧延することによって、板の局所的に表面が変形することによって形成される。従って、板の形体は板と同じ化学組成を有する。更に本発明の意味の範囲内で平面に対し浮き彫り状態にある形体は、この平面に対し突出又は陥凹した形体のことである。
【０００９】
本発明による板の他の有利な特徴に従って、これらの特徴を、個々に又は技術的に可能な任意の組み合わせで導入することができる。
−  前記形体の頂点を通る少なくとも１つの平面に沿うと共に前記一般平面に垂直である断面において、各形体が、前記一般平面に対しゼロでない平均傾斜角でそれぞれ傾斜した２つの側部によって境界付けられ、前記一般平面に対する前記領域の傾斜角が３０度よりも小さい凹凸部の領域が、或る形体の一方の側部と、その形体の他方の側部又は隣接する形体の側部との間の接続領域を形成する。
−  前記板が３〜８ｍｍの厚さを有する。
−  各形体が０．５ｍｍ以上の厚さを有する。
−  前記一般平面に対する１つの形体の各側部の前記平均傾斜角が、４０度と６５度との間、好ましくは４５度と６０度の間にある。
−  前記板の厚さに対する各形体の厚さの所定の割合ρに対して、前記板の厚さが、前記板の前記面における、入射する放射の、前記板を通る最大透過率に対応する最適な値を有する。
−  条件（ｉ）が満たされているときに、前記板の厚さに対する各形体の厚さの割合ρが０．２５以上である。
−  条件（ｉｉ）が満たされているときに、前記板の厚さに対する各形体の厚さの割合ρが０．３以上である。
−  前記板が、ガラス、好ましくはクリア又はエクストラ・クリアな透明ガラスから作られている。
−  前記板が透明ポリマーから作られている。
−  前記形体同士が互いに隣接している。
−  前記形体が互いに独立している。
−  前記形体が前記面にわたってランダムに分布している。
−  前記形体はゼロでない頂点半角を有するピラミッド型又は円錐形である。
−  各形体のベースが、５ｍｍ以下の直径を有する円の内部に内接される。
−  前記形体が溝又はリブである。
−  前記板が圧延によって形成される。
−  前記板が成形することによって形成される。
【００１０】
本発明の別の対象は、
上述の透明板と、放射を収集又は放出できる要素とを具備する組立体であって、
前記要素が、前記板を通過する放射を収集できるように、又は前記板を介して放射を放出できるように、前記板に対して位置決めされ、
前記板の凹凸面が、前記要素から離れるように方向付けられる、
組立体である。
【００１１】
最後に、本発明の別の対象は、
上述の板を製造する方法であって、
透明材から作成される板の少なくとも１つの面上に、前記面の一般平面に対し浮き彫り状態にある幾何学的な形体を形成する一方で、各形体の厚さを最大化する段階を含む、
方法である。
【００１２】
有利には、前記形体は前記板を圧延することによって形成される。
【００１３】
変形例として、前記板を成形することによって前記形体を形成してもよい。
【００１４】
本製造方法の第１変形例によれば、一定周期の形体に対し、各形体の深さは、その面の一般平面に対し形体の各辺の平均傾斜角を最大化することで最大となる。
【００１５】
本製造方法の第２変形例によれば、その面の一般平面に対する各形体の各辺の一定平均傾斜角に対し、各形体の深さは各形体の周期を最大化することによって最大となる。
【００１６】
本発明の特徴及び利点は、単なる一例として添付図面を参照し、本発明による板と組立体の３つの実施形態に関する以下の説明により明らかになるであろう。
【図面の簡単な説明】
【００１７】
【図１】本発明の第１実施形態による凹凸の付いた透明板の斜視図である。
【図２】前面基板として、図１の板を有する太陽光電池モジュールの部分的概略断面図である。
【図３】前面基板として、本発明の第２実施形態による凹凸付き透明板を有する太陽光電池モジュールの、図２に示すものと類似した断面図である。
【図４】前面基板として、本発明の第３実施形態による凹凸付き透明板を有する太陽光電池モジュールの、図２に示すものと類似した断面図である。
【図５】前面基板として、図２〜４の板と同じガラス母材を有する、従来技術の凹凸付き透明板を有する太陽光電池モジュールの、図２に示すものと類似した断面図である。
【発明を実施するための形態】
【００１８】
図１及び図２に示された本発明の第１実施形態において、本発明の透明板１は圧延パターン化されたエクストラ・クリアな透明ガラス板であって、その面３の一方に、隣接するピラミッド型の形体５の列からなる凸状組織を有するものである。
【００１９】
図１に明確に示すように、面３のピラミッド型形体５は、波線Ｌに沿って整列される。本発明の意味の範囲内において、形体５の整列ラインＬは、列をなして互いに隣接して配置されたピラミッド型形体の連続する同一辺によって形成されたラインである。図１に示す実施形態では、各整列ラインＬに沿う、連続するピラミッド型形体５の各辺からなる長手方向は次第に修正される。即ち、整列ラインＬの一般的方向又は全体方向に重畳されるものは、個々のピラミッド型形体の各辺からなる方向における変化であって、それが整列ラインＬの起伏となる。国際公開２００６／１３４３０１号の出願で教示されているように、そのような面３上のピラミッド型形体５からなるランダム分布は、個々の反射角当たりの板１上反射の平均絶対強度を軽減することができ、反射方向と非反射方向との間の顕著な移行を回避することができる。この結果、板１は一層均一な外観を有し、ギラツキのリスクは最小となる。
【００２０】
図２は、前面基板としての板１を有する、本発明による太陽光電池モジュール１０を部分的かつ概略的に示したものである。この図が示すように、凹凸５が設けられる板１の面３はモジュール１０への放射の入射側となっている。この実施形態では、前面３とは反対側にある板１の面４は全体が平坦であり、１個以上の太陽電池９に対面している。
【００２１】
電池に入射する放射のエネルギの電気エネルギへの変換を確実にする各太陽電池９の吸収層は、特に、アモルファスや微結晶シリコンをベースとするに薄膜やテルル化カドミウムをベースとする薄膜であってもよい。この場合には、知られているように各薄膜電池９は、板１の面４側から順に、以下の連続的な多層スタックから構成されている：
‐導電透明層、特に透明導電酸化物（ＴＣＯ）をベースとし、電池の前面電極を形成するもの；
‐吸収体層；
‐電池の背後電極を成す導電層。
【００２２】
実際には、各電池９はモジュール１０の前面基板１と、図示しない背後基板との間に保持される。
【００２３】
変形例として各電池９の吸収層は、ＣＩＳ吸収層の名称を持ちかつオプションとしてガリウム（ＣＩＳ吸収層）、アルミニウム又はイオウを添加することもできる、銅・インジウム・セレンからなるカルコパイライト化合物の薄膜であるかもしれない。この場合、各薄膜電池９は、上述したものと同様の多層スタックを有するが、組立の際、モジュール１０の良好な結合性を保証するべく、さらに電池９の前面電極と板１の面４との間に図示しないポリマー積層中間層を備える。積層中間層は、特にポリビニルブチラール（ＰＶＢ）やエチレン酢酸ビニル（ＥＶＡ）から作られるかもしれない。
【００２４】
更に別の実施形態によれば、各電池９はｐ−ｎ結合を成す多結晶又は単結晶シリコンウエハから形成されるかもしれない。
【００２５】
図３乃至図５は、前面基板として本発明の第２実施形態による透明板１０１、本発明の第３実施形態による透明板２０１、従来技術の透明板３０２を夫々有する太陽光電池モジュール１１０、２１０、３１０を示している。各板１０１、２０１、３０１は、板１のガラスと同じ成分のエクストラ・クリアな透明ガラスからなり、モジュール１０の太陽電池９と同様な、１個又は複数の太陽電池１０９、２０９、又は３０９の上部に置かれる。板１０１、２０１、３０１の夫々は、モジュールへの放射入射側を向く前面１０３、２０３又は３０３を有し、各前面には板１に設けたものと同様なピラミッド型の凹凸が設けられ、それは隣接し合う複数のピラミッド型形体１０５、２０５又は３０５から構成され、そのベースは平行四辺形、その頂点半角はゼロ以外となる。
【００２６】
従来技術による板３０１のピラミッド型形体３０５の夫々は、ベースとして一辺が２ｍｍ長の平行四辺形、約４５度の頂点半角を有する。従って、各ピラミッド型形体３０５は、各々が凹凸面３０３の一般平面πに対して約４５度の傾斜角α307で傾斜した４つの側部３０７によって境界付けられる。各形体３０５は、凹凸を備えた板３０１の全厚ｅ301が４ｍｍになるように、一般平面πに対し１ｍｍ突き出た厚さｅ305を有する。
【００２７】
本発明の第１実施形態による板１のピラミッド型形体５の夫々は、４つの側部７によって境界付けられ、各側部７が凹凸面３の一般平面πに対して傾斜角α7で傾斜される。第１実施形態の板１と従来技術の板３０１の違いは、従来が４ｍｍの厚さｅ301に対し、本願の凹凸を含む全厚さｅ1は６ｍｍであり、他方、各ピラミッド型形体５は、従来が１ｍｍの厚さｅ305であるのに対し、面３の一般平面πに対して１．５ｍｍ突き出た厚さｅ5を有している。従って、板１、３０１は、各板厚ｅ1、ｅ301に対する形体の厚さｅ5、ｅ305の割合ρが共に０．２５となる。図２及び図５を比較すると、板１の各形体５のベースは、板３０１の形体３０５のベースと同じ寸法、すなわち一辺長さ２ｍｍの平行四辺形ベースを有するも、各形体５の頂点半角は、従来技術の板３０１の形体３０５が４５度であるのに対し、約３３度であることがわかる。換言すれば、形体の同一周期ｐ5、ｐ305に付き、形体３０５の側部３０７の傾斜角α307に対して形体５の側部７の傾斜角α7を増加させることで、第１実施形態の板１の各形体５の厚さｅ5は従来技術の板３０１の各形体３０５の厚さｅ305よりも増加したということである。
【００２８】
同様に、本発明の第２実施形態による板１０１のピラミッド型形体１０５の各々は、それぞれが凹凸面１０３の一般平面πに対して傾斜角α107で傾斜した４つの側部１０７によって境界付けられている。第１実施形態のように、板１０１は、従来技術による板３０１の板厚ｅ301が４ｍｍであるの対し凹凸を含む全厚ｅ1が６ｍｍとなり、板１０１の各ピラミッド型形体１０５は、従来技術による板３０１の形体３０５厚さｅ305が１ｍｍであるのに対し、面１０３の一般平面πに対して１．５ｍｍ突き出た厚さｅ105を有している。従って、板１０１、３０１は、各板厚ｅ101、ｅ301に対する形体の厚さｅ105、ｅ305の割合ρが共に０．２５となる。図３及び図５を比較すると、各形体１０５の頂点半角は、板３０１の形体３０５と頂点半角と同じ約４５度であるが、各形体１０５のベースは、板３０１の形体３０５に関しては２ｍｍではなく、一辺の長さが３ｍｍになる。換言すれば、浮き彫り状態にある形体の側部１０７、３０７の同じ傾斜角α5、α305に当たり、形体３０５の周期ｐ305よりも形体１０５の周期ｐ105を増加させることにより、第２実施形態による板１０１の各形体５の厚さｅ105は、従来技術による板３０１の各形体３０５の厚さｅ305よりも増加したということである。
【００２９】
図４に示した第３実施形態の板２０１と従来技術の板３０１の違いは、各ピラミッド型形体２０５は、従来技術の厚さｅ205が１ｍｍであるのに対し、面２０３の一般平面πに対し１．２ｍｍ突き出た厚さｅ205を有しており、その形体を含む板２０１の全厚ｅ201は板３０１の厚さｅ301と等しい４ｍｍであるということである。従って、板については同じ厚さｅ201、ｅ301であるために、板２０１の厚さｅ201に対する板２０１の形体２０５の厚さｅ205の割合ρは、従来技術による板３０１の０．２５に対し０．３に等しくなる。板２０１の各ピラミッド型形体２０５は、それぞれが凹凸面２０３の一般平面πに対して傾斜角α207で傾斜した４つの側部２０７によって境界付けられる。図４及び図５を比較すると、板２０１の各形体２０５のベースは、板３０１の形体３０５のベースと同じ寸法、すなわち一辺の長さが２ｍｍの平行四辺形ベースであるが、各形体２０５の頂点半角は、プレート３０１の形体３０５に関しては４５度ではなく約４０度であることが示される。換言すれば、形体の同一周期ｐ205、ｐ305に当たり、第３実施形態による板２０１の各形体２０５の厚さｅ205は、形体３０５の側部３０７の傾斜角α307に対して形体２０５の側部２０７の傾斜角α207を増加させることで、従来技術による板３０１の各形体３０５の厚さｅ305に対して増加したということである。
【００３０】
好ましくは、本発明による板の凹凸は、元は平坦であったガラス板の表面を圧延することにより造られる。その際ガラスは、その表面に、形成対象となる凹凸の逆の形状を持つ、例えば金属ローラのような固体を使用することでその表面を変形できる温度に加熱される。変形例としては形体を成形によって獲得するようにしても良い。
【００３１】
圧延及び成形であるこれら２つの凹凸形成技術を以て、所望の凹凸が今回のように平坦な側部及び鋭角を有する形体からなる場合、例として、ピラミッド型や円錐形の形体だったり、三角形や台形の断面からなる溝やリブの形体の場合、形成される形体は完全な幾何学的形状にはならない。即ち、これら様々なタイプの形体に関しては、図２乃至図５のピラミッド型形体に対しては曲率半径Ｒ、ｒによって概略的に示すように、各形体の頂点と各形体の側部とから構成される谷は丸みを帯びたものとなる。凹凸の頂点の曲率半径Ｒや谷の曲率半径ｒは、圧延や成形の特定製造条件により、浮き彫りの形体の厚みと共に大きく異なるものではない。圧延の製造条件によっては、凹凸の頂点の曲率半径Ｒは凹凸の谷の曲率半径ｒよりも大きくなる。
【００３２】
板１、１０１、２０１又は３０１の形体５、１０５、２０５、３０５の一方の側部７、１０７、２０７、３０７と、その形体の他方の側部又は隣接する形体の側部との接続域であって、その領域の各地点での一般平面πに対する傾斜角α8、α108、α208、α308が３０度以下となるような接続域を番号８、１０８、２０８、３０８で示す。これら接続域８、１０８、２０８、３０８は、板のピラミッド型の凹凸５、１０５、２０５又は３０５の丸みを帯びた頂点と谷に対応している。凹凸付き面３０３の一般平面πに対する傾斜角α308が同じように３０度以下となるような従来技術による板３０１の接続域３０８において、前記接続域の面積Ｓ308の、同板３０１の全凹凸面積Ｓ301に対する割合は約３６％となる。比較として、凹凸面３、１０３、２０３の一般平面πに対する傾斜角α8、α108、α208が３０度以下となるような本発明の各板１、１０１又は２０１の接続域８、１０８、２０８において、その前記接続域の面積Ｓ8、Ｓ108、Ｓ208の、同板の全凹凸面積Ｓ1、Ｓ101、Ｓ201に対する割合は３０％以下となる。前記割合のこの減少は、従来技術の板３０１の形体３０５の厚さｅ305に対して各形体５、１０５、２０５の厚さｅ5、ｅ105、ｅ205を増加させることで、本発明の板１、１０１、２０１に対して得られものである。図２乃至図５において、面積Ｓ8、Ｓ108、Ｓ208、Ｓ308及びＳ1、Ｓ101、Ｓ201、Ｓ301は、点線で非常に概略的に示されている。
【００３３】
変形例によっては、接続域８、１０８、２０８、３０８は、板の形体の一方の側部７、１０７、２０７、３０７を、同形体の他方の側部又は隣接する形体の側部に接続する領域であって、その領域の各地点における一般平面πに対する傾斜角α8、α108、α208、α308が４０度以下となるような各領域として定義される場合もある。この定義の場合、従来技術による板３０１の接続域３０８に関し、その凹凸面３０３の一般平面πに対する傾斜角α308が４０度以下となるような前記接続域の面積Ｓ308の、同板３０１の全凹凸面積Ｓ301に対する割合は約６０％であるのに対し、本発明による各板１、１０１、２０１の接続域８、１０８、２０８に関し、凹凸面３、１０３、２０３の一般平面πに対する傾斜角α8、α108、α208が４０度以下となるような前記接続域の面積Ｓ8、Ｓ108、Ｓ208の、同板の全凹凸面積Ｓ1、Ｓ101、Ｓ201に対する割合は４５％以下となる。
【００３４】
以下の表１は、標準的な太陽光電池モジュールの効率に対して、板１、１０１、２０１及び３０１の面構造の光学的シミュレーションによって決定された、モジュール１０、モジュール１１０、モジュール２１０及びモジュール３１０夫々に対する、０度の傾斜角の効率ε10（０°）、ε110（０°）、ε210（０°）、ε310（０°）の増加、及び全傾斜角の年間全効率ε10、ε110、ε210、ε310の増加を示している。標準的モジュールと各モジュール１０、１１０、２１０、３１０の違いは、その前面基板が凹凸付き板１、１０１、２０１及び３０１と同じガラス成分を有するも凹凸がない透明板であるということだけである。年間全効率ε10、ε110、ε210、ε310の結果は、南向きで、かつ水平に対し約３５度傾斜するように位置決めされたモジュールに対応し、ドイツのケルンでの直接照明のデータを用いて得られたものである。表１に示された効率の値は、実際の効率がより大きくなる可能性があるため、放射の拡散性を考慮することなくシミュレーションによって決定されている。
【００３５】
【表１】
2015172777.tif 000003
【００３６】
シミュレーションを構築する前提条件は以下の通りである：
‐板１、１０１、２０１、３０１と標準モジュールの板は、サンゴバングラス社によって市販されている“アリバリノ”の成分と同じ成分のガラスから作られている；
‐モジュール１０、１１０、２１０、３１０と標準モジュールに入射する放射は、標準的な太陽スペクトラムに対応するエネルギ分布を持つ；
‐電池に到達する光子数に対する収集電子数の割合に対応する、入射放射の波長の関数として太陽電池９、１０９、２０９、３０９及び標準モジュールの効率の見積もりに関しては、多結晶シリコンベースの太陽電池を参照するものであるが、その結果は他のタイプの太陽電池に適用できるものである。何故ならば、この板に凹凸を付けることによってもたらされる透過特性の改善度は板に入射する放射の波長に著しく依存するものではないからである。
【００３７】
表１のデータは、本発明によるモジュール１０、１１０、２１０夫々の年間全効率の増加度合ε10は、従来技術によるモジュール３１０の年間全効率の増加度合ε310よりも約１％大きいことを示している。
【００３８】
凹凸が無い板に対し凹凸を付けた板の透過率の増加を可能にする基本機構を分析すると、凹凸付き板の形体の厚さを増加したり最大化したりすることで、何故エネルギ変換装置の効率が最大化されるかを理論的に説明することができる。
【００３９】
凹凸が付いた板の透過率を増加させる第１の基本機構は、浮き彫り状態にある板の形体の上で多重反射させることで入射放射を捕捉することにある。図２乃至図５から分かるように、小さな入射角で板１，１０１、２０１、３０１に入射する放射光線Ｅiに対しては、凹凸付き面３、１０３、２０３、３０３の浮き彫り状態にある形体５、１０５、２０５、３０５上で多重反射が起こり、それにより板に入ることのより多い回数の可能性Ｅt1、Ｅt2を提供することになり、しかるに凹凸が付いていない平坦面に対して、板１、１０１、２０１、３０１の凹凸面３、１０３、２０３、３０３上での反射を減少させることになる。
【００４０】
しかしながら、形体５、１０５、２０５、３０５は完全なピラミッド型ではなく、それどころか丸みを帯びているため、この多重反射現象は凹凸面３、１０３、２０３、３０３のあらゆる部分で起こるというわけではない。特に、ピラミッド型形体５、１０５、２０５、３０５の丸みを帯びた頂点及び谷に対応する接続領域８、１０８、２０８、３０８においては、図２乃至図５の左側に位置する矢印Ｅr1に示すように入射放射を捕捉する現象は発生しない。この結果として板を通る入射放射の透過率を高めるためには、これら接続領域８、１０８、２０８、３０８の面積が板の凹凸付き全面積に対して減じられるべきである。本発明による板１、１０１及び２０１の上記例では、この接続領域の面積減少は、従来技術による板の形体に対する板の形体厚さを増加し、以て隣接する２接続領域間の各形体の面積、即ち多重反射に関与する形体の表面積がより大きくなるようにすることで達成される。
【００４１】
更に、放射は板１、１０１、２０１、３０１に入った後、板と電池９、１０９、２０９、３０９や光学積層中間層との間の界面で反射し、さらにもう一度、形体５、１０５、２０５、３０５の面上での反射によって捕えられることで放射の大部分が板を介して透過される。従って、凹凸付き板の反射による損失は、この２番目の放射捕捉によって、凹凸のない板に対して更に減じられる。繰り返して述べるが、板の全凹凸面積に対する接続領域８、１０８、２０８、３０８の面積を減少すること、換言すれば、形体上での多重反射に関与する各形体の面積を増加することは、板を介した放射の第２の捕捉と透過とを増大させることになる。
【００４２】
凹凸付き板の透過率を増加させる第２の基本機構は、４５度以上の大きい入射角で入射する放射Ｆiの場合、形体５、１０５、２０５、３０５の面に入射する放射の入射角は平坦面のそれよりも小さいということである。例えば、４５度の頂点半角のピラミッド型形体を以て、丸みを帯びた場合でさえも平坦面上、０〜９０度で変化する角度で入射する放射Ｆiは、−４５度〜＋４５度の入射角で形体５、１０５の表面に入射する。９０度に近い大きな入射角は、空気とガラスとの界面での反射に有利に働くため、０度〜９０度範囲の入射角を−４５度〜＋４５度の範囲の入射角で置き換えることは反射を実質的に減じることにもなる。従って、板の全凹凸面積に対して接続領域８、１０８、２０８、３０８の面積を減じること、即ち面πに対して最も小さな傾斜を持った板の領域を減じることもまた、この第２機構により板の透過率を増加させることになる。
【００４３】
表１と上記論理的説明により、板の全凹凸面積Ｓ1、Ｓ101、Ｓ201に対する接続領域の面積Ｓ8、Ｓ108、Ｓ208の割合が従来技術による板のそれよりも減少した、本発明による板は、同板に入射する放射の透過特性を最適化したことが明白である。この結果、そのような板は前面基板として太陽光電池モジュールに一体化された際には、従来技術によるモジュールの効率に対して本モジュールの効率を実質的に改善する。
【００４４】
本発明によれば、凹凸付き板を通る透過率の向上は、多重反射の有無に関係なく、板の形体の有効表面積、換言すれば放射を受けたり透過させたりするのに有効な形体の面積を増加するか、或いは形体表面で観察される入射角を減少させることにより達成されるものである。そうすることで、丸みを帯びた接続領域に対応する板の全凹凸面積の割合は減少し、凹凸付き板の形体の外形は完全な幾何学的形状に近づくことになる。
【００４５】
形体の有効面積を増加するため、本発明は第１、第２実施形態に示すように、従来技術の凹凸付き板に対して本発明の凹凸付き板の厚さを、板の厚さに対する各形体の厚さの割合ρの所定値に向けて増加させることを提案する。これらの実施形態から、本発明の凹凸付き板を通る放射の透過率は、仮に本発明の板の厚さと、板の放射の吸収がより大きくても、従来技術の凹凸付き板を通る放射の透過率に対し向上することが明らかである。事実、本発明者らは、形体厚さとこれら形体の有効面積とを増加することで引き起こされる、本発明による凹凸付き板を介する透過率の増加は、ある板厚に関しては、特に低い放射吸収率を伴う板組成に対しては、板の厚さを増加させることによって引き起こされる板内部での放射吸収の増加よりも大きくなる可能性があるということを明らかにした。
【００４６】
割合ρの所定値のため、本発明による凹凸付き板の厚さは、その板を介する透過率が形体厚さを増加させることで、板厚を増加させることによる板内部の増加した吸収率と出来る限り上手に対抗させる最適な厚さ値であって、換言すれば板の凹凸面に入射する放射の板通過の際の透過率が最大になる板厚値に等しくなるように選択されることが好ましい。特に、従来技術による凹凸付き板の割合ρの従来の値であるような０．２以上の割合ρの所定値のため、本発明による凹凸付き板の厚さは４．５ｍｍ以上となるように選択されることが好ましい。太陽光電池モジュールやＯＬＥＤ装置のようなエネルギ変換装置の前面基板としての用途の範囲で、本発明による凹凸付き板の厚さは又、装置重量を中程度に留めるために８ｍｍ以下に保持することが好ましい。
【００４７】
形体の有効面積を増加させる別の方法は、第３実施形態に示したように、所定板厚に対する従来技術による凹凸付き板の割合ρに対し、板厚に対する各形体の厚さの割合ρを増加させることにある。その際、放射を受け、透過させる形体の有効面積は、夫々の形体の厚さを増すことで増加する。この場合、例えば３ｍｍ〜４ｍｍの従来の板厚に対して本発明による凹凸付き板の割合ρは、０．３＜ρになるように選択されることが好ましい。加えて、圧延によって凹凸が付けられたガラス板の場合、圧延工程故に、ガラスが圧延工程で使用されるローラに貼り付いてしまう問題を回避するためにρ＝０．５の最大値が課せられる。
【００４８】
本発明は、従来からの製造方法、即ち圧延と成形では、浮き彫り状態にある形体の頂点及び谷の曲率半径は形体の厚さや板厚に関わらず変化しないという、発明者らの開示に基づくものである。これら曲率半径は形体の厚さや板厚に比例して増加するだろうと思われてきた。しかしながら驚いたことには、特に圧延の場合、曲率半径ｒ、Ｒに対しては数百ミクロン程度といったように、平均曲率半径は圧延や成形などの既定の製造方法に対しては常に同じ状態のままである。発明者らは、これら不変の半径や曲率に基づき、板の透過率が増加するような、より効果的な凹凸構成を得るに至った。この目的を達成するために発明者らは、特に割合ρの所定値のために板厚を増加することを選んでいる。変形例として、発明者らは板厚の所定値のために割合ρを増加することも構想した。
【００４９】
本発明は説明・図示した例に限定されるものではない。特に、本発明による板の凹凸構造は、ピラミッド型形体以外の形体からなる組立体から形成されるようにしても良い。特に、本発明による板の形体は円錐形や、溝やリブのような細長い形体でも良い。板の凹凸がピラミッド型や円錐形の形体によって形成される場合、これらの形体は多角形のベース、特に三角形、正方形、長方形、平行四辺形、六角形又は八角形のベースを有することが好ましい。より一般的には、本発明による板の形体は、それらが形体を含む板の面の一般平面πに対し傾斜した少なくとも２つの側部を有するようになっている。加えて、形体の各側部は必ずしも平坦ではないため、一般平面πに対する側部の傾斜角は平均傾斜角として定義され、側部の平均面と平面πとの間で定義される。
【００５０】
本発明による板の組織も又、凸構造ではなく、各形体が板の凹凸面の一般平面に対して陥凹形成された凹構造であってもよい。更に、本発明による板の形体も又、互いに隣接することが好ましいが、隣接しなくてもよい。同様に、板の凹凸面上のランダム分布の形体に関しても、それ自体は好ましくも強制的なものではない。本発明による凹凸付き板の形体は上述した実施形態のように互いに同一であってもよく、或いは互いに異なるものでも良い。更に、本発明による板の形体は、板の当該面の全表面上に亘って形成されたものでも良く、或いは変形例としてこの面の１つ以上の異なる領域だけに形成されるものでも良い。
【００５１】
更に、本発明による凹凸付き板は、如何なる組成のエクストラ・クリアな透明ガラスから形成されても良く、特にサンゴバン社製ガラスとして市販されている“アルバリノ”ガラスであっても、或いは“ディアマント”ガラスのようにエクストラ・クリアな透明ガラスであっても良い。特に、圧延による凹凸付けは、ガラスフロート装置に一体化された型押しローラによって実行されるものでもよい。本発明による凹凸付き板は又、例えばポリカーボネートやポリメチル・メタクリル樹脂のような透明熱可塑性ポリマーといったように、ガラス以外の透明材料から形成されるものでも良い。
【００５２】
本発明の変形例としては図示しないが、本発明による板は、説明・図示した例のように、その面の一方だけでなく、その両面に凹凸を付けるようにしても良い。最後に、本発明による凹凸付き板の１つの有利な用途は、板に入射する放射の透過には最適化特性を有し、例えば太陽光電池モジュール、熱モジュール又はＯＬＥＤ装置のようなエネルギ変換装置の前面基板として使用することにある。しかしながら、本発明による凹凸付き板は又、装飾的な透明要素として使用することも可能である。
【図１】
2015172777.tif 000004
【図２】
2015172777.tif 000005
【図３】
2015172777.tif 000006
【図４】
2015172777.tif 000007
【図５】
2015172777.tif 000008
【手続補正書】
【提出日】平成27年7月3日(2015.7.3)
【手続補正１】
【補正対象書類名】特許請求の範囲
【補正対象項目名】全文
【補正方法】変更
【補正の内容】
【特許請求の範囲】
【請求項１】
一体構造の透明板（１；１０１；２０１）であって、
少なくともその一方の面（３；１０３；２０３）上に、前記面（３；１０３；２０３）の一般平面（π）に対して浮き彫り状態にある幾何学的な複数の形体（５；１０５；２０５）によって凹凸が付けられた少なくとも１つの凹凸部を備え、
各形体は、前記一般平面（π）に平行な断面を有し、
前記断面が、前記形体のベースから頂点に向けて、前記面（３；１０３；２０３）からの距離に伴って徐々に減少していく、
一体構造の透明板において、
前記形体の頂点を通る少なくとも１つの平面に沿うと共に前記一般平面（π）に垂直である断面において、各形体（５；１０５；２０５）が、前記一般平面（π）に対しゼロでない平均傾斜角（α7；α107；α207）でそれぞれ傾斜した２つの側部（７；１０７；２０７）によって境界付けられ、
一つの形体の一方の側部（７；１０７；２０７）と前記形体の他方の側部との間、又は一つの形体の一方の側部と前記形体に隣接する他の形体の側部との間で接続領域（８；１０８；２０８）が形成され、
前記一般平面（π）に対する傾斜角（α8；α108；α208）が３０度よりも小さい前記凹凸部の前記接続領域（８；１０８；２０８）の面積（Ｓ8；Ｓ108；Ｓ208）が、前記凹凸部の全面積（Ｓ1；Ｓ101；Ｓ201）の３５％よりも小さく、
‐（ｉ）  前記板（１；１０１）の厚さ（ｅ1；ｅ101）に対する各形体（５；１０５）の厚さ（ｅ5；ｅ105）の割合ρが０．２以上の所定値を有し、かつ前記板（１；１０１）の厚さ（ｅ1；ｅ101）が４．５ｍｍから８ｍｍまでの範囲内にある、又は、
‐（ｉｉ）  前記板（２０１）の厚さ（ｅ201）が３ｍｍから８ｍｍまでの範囲内にある所定値であり、かつ前記板（２０１）の厚さ（ｅ201）に対する各形体（２０５）の厚さ（ｅ205）の割合ρが０．３以上である、
一体構造の透明板。
【請求項２】
前記一般平面（π）に対する１つの形体（５；１０５；２０５）の各側部（７；１０７；２０７）の前記平均傾斜角（α7；α107；α207）が、４０度と６５度との間、好ましくは４５度と６０度の間にある、
請求項１に記載の板。
【請求項３】
各形体（５；１０５；２０５）が、０．５ｍｍ以上の厚さ（ｅ5；ｅ105；ｅ205）を有する、
請求項１〜２のいずれか１項に記載の板。
【請求項４】
前記板（１；１０１；２０１）の厚さ（ｅ1；ｅ101；ｅ201）に対する各形体（５；１０５；２０５）の厚さ（ｅ5；ｅ105；ｅ205）の割合ρの所定値に対して、前記板（１；１０１；２０１）の厚さ（ｅ1；ｅ101；ｅ201）が、前記板の前記面（３；１０３；２０３）における、入射する放射の、前記板を通る最大透過率に対応する最適な値を有する、
請求項１〜３のいずれか１項に記載の板。
【請求項５】
前記形体（５；１０５；２０５）が互いに隣接し合う、
請求項１〜４のいずれか１項に記載の板。
【請求項６】
前記形体（５；１０５；２０５）はゼロでない頂点半角を有するピラミッド型又は円錐形である、
請求項１〜５のいずれか１項に記載の板。
【請求項７】
前記形体は溝又はリブである、
請求項１〜５のいずれか１項に記載の板。
【請求項８】
前記凹凸部は圧延によって得られる、
請求項１〜７のいずれか１項に記載の板。
【請求項９】
前記凹凸部は成形によって得られる、
請求項１〜８のいずれか１項に記載の板。
【請求項１０】
請求項１〜９のいずれか１項に記載の透明板（１；１０１；２０１）と、放射を収集又は放出できる要素（９；１０９；２０９）とを具備する組立体（１０；１１０；２１０）であって、
前記要素（９；１０９；２０９）が、前記板を通過する放射を収集できるように、又は前記板を介して放射を放出できるように、前記板（１；１０１；２０１）に対して位置決めされ、
前記板の凹凸面（３；１０３；２０３）が、前記要素（９；１０９；２０９）から離れるように方向付けられる、
組立体（１０；１１０；２１０）。
【請求項１１】
請求項１〜１０のいずれか１項に記載の透明板（１；１０１；２０１）を製造する方法であって、
透明材から作成される板の少なくとも１つの面（３；１０３；２０３）上に、前記面（３；１０３；２０３）の一般平面（π）に対し浮き彫り状態にある幾何学的な形体（５；１０５；２０５）を形成する一方で、浮き彫り状態にある各形体（５；１０５；２０５）の厚さ（ｅ5；ｅ105；ｅ205）を最大化する段階を含む、
製造する方法。
【請求項１２】
浮き彫り状態にある形体（５；１０５；２０５）が、前記板を圧延することにより形成される、
請求項１１に記載の製造する方法。
【請求項１３】
浮き彫り状態にある形体（５；１０５；２０５）が、前記板を成形することにより形成される、
請求項１１に記載の製造する方法。
【外国語明細書】
2015172777000001.pdf